(57)【要約】【課題】入賞部品が嵌め合いで組み立てられる。【解決手段】検出器用フック１１が溝２０に挿入され、後部品用フック９および後部品用フック１０が溝１９；２０に挿入されて挿入孔１６の周囲における取付体１３の裏面に係合し、前面体６の裏面と支持体１４；１５の前面とが互いに接触し、前部品２と後部品３とが互いに結合された後、球検出器４の前側が後部品３の裏側から挿入孔１６に存在する短係合片７と長係合片８との間に挿入され、検出器用フック１１が球検出器４の裏側に突出して球検出器４のコネクタ２３の設けられた側の裏面に係合することによって、前部品２と後部品３と球検出器４とが、止ねじを使用することなく、互いに嵌め合いで組み合わせられることによって入賞部品１を構成する。【選択図】図１
2006034302.tif 000002
【特許請求の範囲】
【請求項１】
前部品と後部品と球検出器が互いに別々に形成され、これらの前部品と後部品と球検出器とが互いに組み合わされて構成されるパチンコ機の入賞部品であって、前部品が入賞部品の前側意匠を形成する前面体と前面体の裏面から裏側に短冊状に突出した短係合片と前面体の裏面から裏側に短冊状に突出した長係合片とを備え、短係合片には後部品用フックが短係合片の後端部から外側面の側に突出され、長係合片には後部品用フックが長係合片の中間部から外側面の側に突出されるとともに検出器用フックが長係合片の後端部から内側面の側に突出され、短係合片の内側面と長係合片の内側面との間の対向間隔は球検出器が短係合片の内側面と長係合片の内側面との間に挿入された場合に球検出器の左右の外側面が短係合片の内側面と長係合片の内側面とに接触する寸法に設定され、後部品が遊技盤に取り付けられる取付体と取付体の前面から前側に突出した一対の支持体とを備え、取付体には前部品の短係合片および長係合片ならびに球検出器を挿入するように取付体における一対の支持体で囲まれた部分に前後方向に貫通する挿入孔が形成され、一対の支持体は１個の球を上方から下方に通過可能な隙間を有し、球検出器は上下方向に貫通する球検出孔を前側に備え、前部品における長係合片の検出器用フックが後部品の前側から一対の支持体の間に挿入された後、短係合片の後部品用フックおよび長係合片の後部品用フックが一対の支持体の間から挿入孔を経由して取付体の裏側に突出された挿入孔の周囲における取付体の裏面に係合されることによって、前面体の裏面と支持体の前面とが互いに接触し、一対の支持体が取付体の前面と前面体の裏面との間に１個の球の通過可能な隙間を保つとともに短係合片と長係合片とを外側から保持して、前部品と後部品とが互いに結合された後、球検出器の前側が後部品の裏側から挿入孔に存在する短係合片と長係合片との間に挿入され、取付体よりも裏側に突出している検出器用フックが球検出器の裏面に係合されることによって、球検出器の球検出孔が前面体の裏面と取付体の前面との間の隙間に配置され、球検出器の左右の外側面が短係合片の内側面と長係合片の内側面とに接触し、前部品と後部品と球検出器とが互いに組み合わされたことを特徴とするパチンコ機の入賞部品。
【発明の詳細な説明】
【技術分野】
【０００１】
本発明は、パチンコ機の互いに別々に形成された前部品と裏部品および球検出器が止ねじを使用することなく嵌め合いで組み立てられる入賞部品に関する。
【背景技術】
【０００２】
パチンコ機の入賞部品は、合成樹脂からなる部品本体に装着された球検出器が遊技盤に形成された逃孔に遊技盤の前側から挿入され、タッピングスクリューのような止ねじが部品本体に形成されたねじ挿入孔から遊技盤に締結されることによって、部品本体が遊技盤に取り付けられている。しかしながら、パチンコ機の機種が変わると、部品本体を形成するための成形型も全体的に新たに製作しており、不経済である。そこで、部品本体を入賞部品の前側意匠を形成する前部品と遊技盤に取り付けられる後部品という２つの部品で構成し、前部品と後部品とを止ねじで後部品の裏側から締結することによって、部品本体を形成することも考えられるが、止ねじを締結するための組立作業が面倒となるので、にわかに採用しがたいという欠点がある。
【特許文献１】特開平６−１０５９４５号公報
【発明の開示】
【発明が解決しようとする課題】
【０００３】
発明が解決しようとする問題点は、球検出器を取り付ける部品本体が前部品と後部品とで構成され、これら前部品と後部品とが止ねじで締結された場合、組立作業が面倒となるという点である。
【課題を解決するための手段】
【０００４】
本発明に係るパチンコ機の入賞部品は、前部品と後部品と球検出器が互いに別々に形成され、これらの前部品と後部品と球検出器とが互いに嵌め合い組み合わされて構成されるパチンコ機の入賞部品であって、前部品が入賞部品の前側意匠を形成する前面体と前面体の裏面から裏側に短冊状に突出した短係合片と前面体の裏面から裏側に短冊状に突出した長係合片とを備え、短係合片には後部品用フックが短係合片の後端部から外側面の側に突出され、長係合片には後部品用フックが長係合片の中間部から外側面の側に突出されるとともに検出器用フックが長係合片の後端部から内側面の側に突出され、短係合片の内側面と長係合片の内側面との間の対向間隔は球検出器が短係合片の内側面と長係合片の内側面との間に挿入された場合に球検出器の左右の外側面が短係合片の内側面と長係合片の内側面とに接触する寸法に設定され、後部品が遊技盤に取り付けられる取付体と取付体の前面から前側に突出した一対の支持体とを備え、取付体には前部品の短係合片および長係合片ならびに球検出器を挿入するように取付体における一対の支持体で囲まれた部分に前後方向に貫通する挿入孔が形成され、一対の支持体は１個の球を上方から下方に通過可能な隙間を有し、球検出器は上下方向に貫通する球検出孔を前側に備え、前部品における長係合片の検出器用フックが後部品の前側から一対の支持体の間に挿入された後、短係合片の後部品用フックおよび長係合片の後部品用フックが一対の支持体の間から挿入孔を経由して取付体の裏側に突出された挿入孔の周囲における取付体の裏面に係合されることによって、前面体の裏面と支持体の前面とが互いに接触し、一対の支持体が取付体の前面と前面体の裏面との間に１個の球の通過可能な隙間を保つとともに短係合片と長係合片とを外側から保持して、前部品と後部品とが互いに結合された後、球検出器の前側が後部品の裏側から挿入孔に存在する短係合片と長係合片との間に挿入され、取付体よりも裏側に突出している検出器用フックが球検出器の裏面に係合されることによって、球検出器の球検出孔が前面体の裏面と取付体の前面との間の隙間に配置され、球検出器の左右の外側面が短係合片の内側面と長係合片の内側面とに接触し、前部品と後部品と球検出器とが互いに組み合わされたことを最も主要な特徴とする。
【発明の効果】
【０００５】
本発明に係るパチンコ機の入賞部品は、前部品の短係合片と長係合片との後部品用フックが後部品の前側から一対の支持体の間および挿入孔を経由して後部品の取付体の裏面に係合されることによって、前部品と後部品とが互いに結合された後、球検出器の前側が後部品の裏側から挿入孔に存在する短係合片と長係合片との間に挿入され、取付体よりも裏側に突出している検出器用フックが球検出器の裏面に係合されることによって、前部品と後部品と球検出器とが互いに組み合わされるので、前部品と裏部品および球検出器が止ねじを使用することなく嵌め合いで入賞部品として組み立てられることができ、組み立てられた入賞部品においては、球検出器が短係合片と長係合片とを内側に撓まないよう支持しているので、後部品用フックと取付体の裏面との係合が外れることがなく、また、検出器用フックと球検出器の裏面との係合が解除された後、球検出器が後部品の裏側に引き抜かれることによって、球検出器が取り外せるという利点がある。一対の支持体の互いに向き合う内側面に挿入孔から連接された溝を形成し、この溝に短係合片と長係合片および球検出器の側縁部を取り込むようにすれば、短係合片と長係合片および球検出器が上下方向にがたつくことがないので、前部品と後部品および球検出器の組み合わせ形態が一層良好なものとなる。
【発明を実施するための最良の形態】
【０００６】
図１−図１１は、発明を実施するための最良の形態である。図１のａ図は、パチンコ機の遊技盤２５の遊技領域２９から入賞した球を遊技盤２５の裏面に排出することなく遊技領域２９に排出する通過形の入賞部品１を分解して示す。図１のｂ図は、入賞部品１の外観を示す。図２は入賞部品１を横方向に切断した横断面を示す。図３は、遊技盤２５に取り付けられた入賞部品１を前後方向に切断した断面を示す。図４は、遊技盤２５の遊技領域２９から入賞した球を遊技領域２９に排出することなく遊技盤２５の裏面に排出する取込形の一般入賞部品と呼ばれる入賞部品３１を分解して示す。図５は遊技盤２５に取り付けられた入賞部品３１を前後方向に切断した縦断面を示す。図６は、羽根部品４２を有し遊技盤２５の遊技領域２９から入賞した球を遊技領域２９に排出することなく遊技盤２５の裏面に排出する取込形の入賞部品４１を分解して示す。図７は、入賞部品４１の外観を示す。図８は遊技盤２５に取り付けられた入賞部品４１を前後方向に切断した縦断面を示す。図９は、前部品２を成形する成形型６５を示す。図１０は、後部品３を成形する成形型８５を示す。図１１は、入賞部品１；３１を備えたパチンコ機の正面を示す。この明細書において、「前」、「後」、「裏」、「左」、「右」、「上」、「下」の方向は、図１１の状態に遊技盤２５および遊技機枠１０１を置いて前側から見た場合に特定される方向である。「後」と「裏」とは同じ方向である。
【０００７】
図１を参照し、入賞部品１の構成部品について説明する。入賞部品１は、前部品２と後部品３と球検出器４とが、止ねじを使用することなく、互いに嵌め合いで組み合わせられることによって、構成される。前部品２は、合成樹脂により、前面体６、短係合片７、長係合片８、後部品用フック９；１０、検出器用フック１１を一体に備えた形状に構成される。前面体６は、入賞部品１の前側意匠を形成する板状である。短係合片７は、前面体６の裏面からの突出寸法の短い短冊状に直線的に突出する。長係合片８は、前面体６の裏面からの突出寸法の長い短冊状に直線的に突出する。後部品用フック９は、短係合片７の後端部から外側面の側に突出する。後部品用フック１０は、長係合片８の中間部から外側面の側に突出する。検出器用フック１１は、長係合片８の後端部から内側面の側に突出する。後部品用フック９が前面体６の裏面から離れている寸法Ｌ１と、後部品用フック１０が前面体６の裏面から離れている寸法Ｌ２とは、互いに同じである（Ｌ１＝Ｌ２）。短係合片７の内側面と長係合片８の内側面との間の対向間隔Ｌ３は、球検出器４が短係合片７の内側面と長係合片８の内側面との間に挿入された場合、球検出器４の左右側面が短係合片７の内側面と長係合片８の内側面とに接触するかまたは接触し得る、寸法である。
【０００８】
後部品３は、合成樹脂により、取付体１３、一対の支持体１４；１５、挿入孔１６、一対のねじ挿入孔１７、一対の位置決め突起１８、溝１９；２０を一体に備えた形状に構成される。取付体１３は、遊技盤２５に取り付けられる板状である。一対の支持体１４；１５は、１個の球を通過し得る左右に相対峙する対向間隔で、取付体１３の前面から前側に直線的に突出する。挿入孔１６は、前部品２の短係合片７および長係合片８ならびに球検出器４が挿入されるように、取付体１３における一対の支持体１４；１５で囲まれた部分に前後方向に貫通する横長な孔である。ねじ挿入孔１７は、入賞部品１を遊技盤２５に取り付ける皿頭付き木ねじまたはタッピングスクリューのような止ねじ２６が挿入されるように、取付体１３の左右側部に前後方向に貫通する孔である。位置決め突起１８は、入賞部品１が遊技盤２５に取り付けられる場合に、入賞部品１を遊技盤２５に位置決めする突起であって、支持体１４；１５よりも上部でかつ支持体１４；１５とねじ挿入孔１７との間に位置し、取付体１３の裏面から裏側に突出する。
【０００９】
支持体１４；１５は、前部品２と後部品３とが組み合わされた場合、取付体１３の前面と前部品２における前面体６の裏面との間に１個の球の通過可能な隙間を保ち、前部品２における短係合片７と長係合片８とを外側から保持するものである。溝１９；２０は、短係合片７、長係合片８、球検出器４における左右の側縁部のそれぞれを取り込むものであって、取付体１３の挿入孔１６から前側に連設され、支持体１４；１５の内側面から内部に窪む格好で、支持体１４；１５の内側面に個別に形成され、挿入孔１６と支持体１４；１５の前面とに貫通する。溝１９；２０における支持体１４；１５の内側面から内部への深さＬ４は、短係合片７および長係合片８の左右方向の厚さｔ１よりも大きい（Ｌ４＞ｔ１）。溝１９；２０の上下方向の幅は、前部品２における短係合片７および長係合片８が上下方向にがたつくことなく入る寸法である。球検出器４は、上下方向に貫通する球検出孔２２を前側に備え、球検出孔２２を通過する球を電気的に検出する検出素子や回路を内蔵し、検出素子や回路への電気的な入出力線を接続するコネクタ２３を後側に備える。
【００１０】
入賞部品１の組立方について説明する。図１において、前部品２における長係合片８の検出器用フック１１が後部品３の前側から一方の支持体１５の溝２０に挿入された後、短係合片７の後部品用フック９および長係合片８の後部品用フック１０が支持体１４；１５の溝１９；２０に挿入されるのに伴い、後部品用フック９；１０が支持体１４；１５から内側への押圧力を受け、短係合片７および長係合片８が前面体６との連接部分を支点として互いに内側に撓む。そして、検出器用フック１１が溝２０から挿入孔１６を経由して取付体１３の裏側に突出した後、後部品用フック９；１０が溝１９；２０から挿入孔１６を経由して取付体１３の裏側に突出すると、短係合片７と長係合片８との撓みが元に戻り、後部品用フック９；１０が挿入孔１６の周囲における取付体１３の裏面に係合し、前面体６の裏面と支持体１４；１５の前面とが互いに接触し、前部品２と後部品３とが互いに結合される。このように前部品２と後部品３とが互いに結合された場合、図２に示すように、支持体１４；１５の内側面が短係合片７および長係合片８よりも内側に突出している。
【００１１】
次に、球検出器４の前側が後部品３の裏側から挿入孔１６に存在する短係合片７と長係合片８との間に挿入されるのに伴い、取付体１３よりも後側に突出している検出器用フック１１が球検出器４から外側への押圧力を受け、取付体１３よりも後側に突出している長係合片８が後部品３の取付体１３と接触した部分を支点として外側に撓み、検出器用フック１１が球検出器４の裏側に突出すると、長係合片８の撓みが元に戻り、検出器用フック１１が球検出器４のコネクタ２３の設けられた側の裏面に係合する。これによって、図３に示すように、球検出孔２２が前面体６の裏面と取付体１３の前面との間の隙間に配置され、球検出器４の左右の外側面が短係合片７の内側面と長係合片８の内側面とに接触し、球検出器４が短係合片７および長係合片８よりも内側に突出する支持体１４；１５の溝１９；２０に上下で挟まれる。このように球検出器４が装着されると、短係合片７および長係合片８が、球検出器４で内側に撓まないように支持されるとともに、支持体１４；１５で外側に撓まないように支持されるので、前部品２と後部品３と球検出器４とが互いに分離しないように組み合わせられ、入賞部品１が図１のｂ図に示す形態に組み立てられる。つまり、前部品２と後部品３と球検出器４とが、止ねじを使用することなく、嵌め合いで、互いに組み合わせられることによって、入賞部品１が構成されるので、止ねじを操作するドライバーのような工具を使用する必要がなく、入賞部品１を簡単に組み立てることができるという利点がある。組み立てられた入賞部品１は、球検出器４が短係合片７と長係合片８とを内側に撓まないよう支持しているので、後部品用フック９；１０と取付体１３の裏面との係合が外れることがなく、また、検出器用フック１１と球検出器４の裏面との係合が解除された後、球検出器４が後部品３の裏側に引き抜かれることによって、球検出器４が取り外せるという利点がある。
【００１２】
このように組み立てられた入賞部品１は、遊技盤２５に次のように取り付けられる。図３において、遊技盤２５には、前後に貫通する逃孔２７および図外の位置決め凹部が形成されている。この図外の位置決め凹部は、遊技盤２５の前面から内部に窪む窪みである。そして、入賞部品１の後部品３における取付体１３の裏面より後側に突出する部分が、遊技盤２５の前側から逃孔２７に挿入され、図１に示す位置決め突起１８が遊技盤２５の前面の図外の位置決め凹部に挿入されて、入賞部品１が遊技盤２５に位置決めされる。そして、止ねじ２６が入賞部品１のねじ挿入孔１７から遊技盤２５に締結されると、取付体１３の裏面が遊技盤２５の前面に接触し、前部品２の前面体６が遊技盤２５の前面から前側に離れて配置される。このように入賞部品１が遊技盤２５に取り付けられ、遊技盤２５および入賞部品１の前側に配置された前面パネル２８と遊技盤２５の前面である遊技領域２９との間の隙間を下方に流れるパチンコ球と呼ばれる球（以下、球と称す）が、遊技領域２９から、前面体６と取付体１３との間および支持体１４；１５の間、球検出孔２２を順に通過し、遊技盤２５の裏面に排出されることなく、遊技領域２９に排出される。
【００１３】
図４を参照し、入賞部品３１の構成部品について説明する。入賞部品３１は、前部品２と後部品３と球検出器４とを組み合わせることで構成される。前部品２は、合成樹脂により、前面体６、短係合片７、長係合片８、後部品用フック９、後部品用フック１０、検出器用フック１１、球誘導突起３２を一体に備えた形状に構成される。球誘導突起３２は、前部品２と後部品３とが互いに組み合わせられた場合、後部品３の球取入部３４の内部に配置され、球取入部３４の内部を上方から落下してくる球が球誘導突起３２に衝突することによって、球誘導突起３２が当該衝突した球を入賞口３３の方向に跳ね返して入賞口３３に誘導する。後部品３は、合成樹脂により、取付体１３、一対の支持体１４；１５、挿入孔１６、ねじ挿入孔１７、位置決め突起１８、溝１９；２０、入賞口３３、球取入部３４、球排出部３５を一体に備えた形状に構成される。入賞口３３は、支持体１４；１５よりも下部に位置し、１個の球の通過可能な大きさで、取付体１３に前後方向に貫通する。球取入部３４は、入賞口３３の周囲を囲むように、取付体１３の前面から前側に突出し、球取入部３４の上方に形成された開口３６から球取入部３４の内部に取り込んだ球を入賞口３３に誘導する前方および上部に開口された横樋形である。球排出部３５は、入賞口３３の周囲を囲むように、取付体１３の裏面から後側に突出し、入賞口３３から排出された球を後方に誘導する横樋形である。
【００１４】
入賞部品３１の組立方について説明する。図４において、前部品２における長係合片８の検出器用フック１１が後部品３の前側から一方の支持体１５の溝２０に挿入され、短係合片７の後部品用フック９および長係合片８の後部品用フック１０が支持体１４；１５の溝１９；２０に挿入されて挿入孔１６の周囲における取付体１３の裏面に係合し、前面体６の裏面と支持体１４；１５および球取込部３４の前面とが互いに接触し、図５に示すように、前部品２と後部品３とが互いに組み合わされる。これによって、球取入部３４の前側が前面体６で塞がれ、球誘導突起３２が球取入部３４の内部に配置される。次に、球検出器４の前側が後部品３の裏側から挿入孔１６に存在する短係合片７と長係合片８との間に挿入され、検出器用フック１１が球検出器４のコネクタ２３の設けられた側の裏面に係合する。これによって、球検出孔２２が球取入部３４よりも上部において、前面体６の裏面と取付体１３の前面との間の隙間に配置される。このように球検出器４が装着されると、短係合片７および長係合片８が、球検出器４で内側に撓まないように支持されるとともに、支持体１４；１５で外側に撓まないように支持されるので、前部品２と後部品３と球検出器４とが互いに分離しないように組み合わせられ、入賞部品３１が図５に示す形態に組み立てられる。つまり、前部品２と後部品３と球検出器４とが、止ねじを使用することなく、嵌め合いで、互いに組み合わせられることによって、入賞部品３１が構成されるので、止ねじを操作するドライバーのような工具を使用する必要がなく、入賞部品３１を簡単に組み立てることができるという利点がある。組み立てられた入賞部品３１は、球検出器４が短係合片７と長係合片８とを内側に撓まないよう支持しているので、後部品用フック９；１０と取付体１３の裏面との係合が外れることがなく、また、検出器用フック１１と球検出器４の裏面との係合が解除された後、球検出器４が後部品３の裏側に引き抜かれることによって、球検出器４が取り外せるという利点がある。
【００１５】
図６を参照し、入賞部品４１の構成部品について説明する。入賞部品４１は、前部品２と後部品３と一対の羽根部品４２と球検出器４とを組み合わせることで構成される。前部品２は、合成樹脂により、前面体６、短係合片７、長係合片８、後部品用フック９、後部品用フック１０、検出器用フック１１、位置決め突起４３、位置決め孔４４を一体に備えた形状に構成される。位置決め突起４３は、前部品２と後部品３とを互いに組み合わせる場合の位置決めを行うため、短係合片７および長係合片８よりも外側下部において、前面体６の裏面から裏側に突出した棒状である。位置決め孔４４は、前部品２と後部品３とを互いに組み合わせる場合の位置決めを行うため、短係合片７および長係合片８の真上において、前面体６に前後方向に貫通した孔である。
【００１６】
後部品３は、合成樹脂により、取付体１３、一対の支持体１４；１５、挿入孔１６、ねじ挿入孔１７、位置決め突起１８、溝１９；２０、上部入賞口４５、上部球取入部４６、上部球排出部４７、下部入賞口４９、下部球取入部５０、図８に示す下部球排出部５１、一対の羽根軸５２、一対の位置決め突起５３、一対の位置決め孔５４、一対の逃孔５５を一体に備えた形状に構成される。上部入賞口４５は、羽根軸５２よりも上部に位置し、１個の球の通過可能な大きさで、取付体１３に前後方向に貫通する。上部球取入部４６は、上部入賞口４５の周囲を囲むように、取付体１３の前面から前側に突出し、上部球取入部４６の上面に形成された開口５７から上部球取入部４６の内部に取り込んだ球を上部入賞口４５に誘導する通路を有するポケット形である。上部球排出部４７は、上部入賞口４５の周囲を囲むように、取付体１３の裏面から後側に突出し、上部入賞口４５から排出された球を後方に誘導する横樋形である。下部入賞口４９は、支持体１４；１５よりも下部に位置し、１個の球の通過可能な大きさで、取付体１３に前後方向に貫通する。下部球取入部５０は、下部入賞口４９の周囲を囲むように、取付体１３の前面から前側に突出し、下部球取入部５０の上方に形成された開口５８から下部球取入部５０の内部に取り込んだ球を下部入賞口４９に誘導するポケット形である。図８に示す下部球排出部５１は、下部入賞口４９の周囲を囲むように、取付体１３の裏面から後側に突出し、下部入賞口４９から排出された球を後方に誘導する横樋形である。
【００１７】
一対の羽根軸５２は、一対の羽根部品４２を個別に回転可能に支持するものであって、一対の支持体１４；１５の真上に位置し、１個の球の通過可能な左右に相対峙する間隔で、取付体１３の前面から前側に直線的に突出した丸棒である。一対の位置決め突起５３は、前部品２と後部品３とを互いに組み合わせる場合の位置決めを行うため、一対の羽根軸５２の前面から前側に同軸で直線的に突出した、一対の羽根軸５２よりも細い棒である。一対の位置決め孔５４は、前部品２と後部品３とを互いに組み合わせる場合の位置決めを行うため、下部球取入部５０より左右に位置し、取付体１３に前後方向に貫通した孔である。一対の逃孔５５は、一対の羽根部品４２と一対の羽根部品４２を駆動する図外のソレノイドのような駆動源とを連結するリンク機構を通すため、一対の羽根軸５２の周囲で羽根軸５２を中心とした１つの円周上に個別に位置し、取付体１３に前後方向に貫通した弧状の孔である。一対の羽根部品４２は、左右に対称な形であって、下部に軸受孔６０を備える。
【００１８】
入賞部品４１の組立方について説明する。図６において、羽根部品４２の軸受孔６０が後部品３の前側から位置決め突起５３を経由して羽根軸５２に個別に回転可能に嵌め込まれる。このように取り付けられた羽根部品４２は、支持体１４；１５および上部球取入部４６と干渉することなく、羽根軸５２を中心として、取付体１３の前面と平行で左右に開閉可能となる。その後、前部品２の位置決め突起４３が後部品３の位置決め孔５４に嵌め込まれ、前部品２の位置決め孔４４が後部品３の位置決め突起５３に嵌め込まれ、前部品２における長係合片８の検出器用フック１１が後部品３の前側から一方の支持体１５の溝２０に挿入され、短係合片７の後部品用フック９および長係合片８の後部品用フック１０が支持体１４；１５の溝１９；２０に挿入されて挿入孔１６の周囲における取付体１３の裏面に係合し、前面体６の裏面と支持体１４；１５の前面とが互いに接触し、図７に示すように、前部品２と後部品３および羽根部品４２とが互いに組み合わされる。図示は省略するが、羽根部品４２を動かすための電磁ソレノイドのような駆動源が後部品３における取付体１３の裏面に取り付けられ、この駆動源の出力部材がリンク機構で羽根部品４２に連結される。リンク機構を結合するために羽根部品４２の裏面の後方に突出して設けられた結合部は、取付体１３の前側から図６に示す逃孔５５を経由して取付体１３の後側に突出されている。
【００１９】
次に、球検出器４の前側が後部品３の裏側から挿入孔１６に存在する短係合片７と長係合片８との間に挿入され、検出器用フック１１が球検出器４のコネクタ２３の設けられた側の裏面に係合する。これによって、図８に示すように、球検出孔２２が下部球取入部５０と羽根部品４２との間において、前面体６の裏面と取付体１３の前面との間の隙間に配置され、球検出器４が羽根部品４２と離れて干渉しない。このように球検出器４が装着されると、短係合片７および長係合片８が、球検出器４で内側に撓まないように支持されるとともに、支持体１４；１５で外側に撓まないように支持されるので、前部品２と後部品３と球検出器４とが互いに分離しないように組み合わせられ、入賞部品４１が図８に示す形態に組み立てられる。つまり、前部品２と後部品３と一対の羽根部品４２と球検出器４とが、止ねじを使用することなく、嵌め合いで、互いに組み合わせられることによって、入賞部品４１が構成されるので、止ねじを操作するドライバーのような工具を使用する必要がなく、入賞部品４１を簡単に組み立てることができるという利点がある。組み立てられた入賞部品４１は、球検出器４が短係合片７と長係合片８とを内側に撓まないよう支持しているので、後部品用フック９；１０と取付体１３の裏面との係合が外れることがなく、また、検出器用フック１１と球検出器４の裏面との係合が解除された後、球検出器４が後部品３の裏側に引き抜かれることによって、球検出器４が取り外せるという利点がある。
【００２０】
このように組み立てられた入賞部品４１は、遊技盤２５に次のように取り付けられる。図８において、遊技盤２５には、前後に貫通する逃孔６１および図外の位置決め凹部が形成されている。この図外の位置決め凹部は、遊技盤２５の前面から内部に窪む窪みである。そして、入賞部品４１の後部品３における取付体１３の裏面より後側に突出する部分が、遊技盤２５の前側から逃孔に挿入され、図６に示す位置決め突起１８が遊技盤２５の前面の図外の位置決め凹部に挿入されて、入賞部品４１が遊技盤２５に位置決めされる。そして、図１に示す止ねじ２６と類似する別の図外の止ねじが入賞部品４１のねじ挿入孔１７から遊技盤２５に締結されると、取付体１３の裏面が遊技盤２５の前面に接触し、前部品２の前面体６が遊技盤２５の前面から前側に離れて配置される。このように入賞部品４１が遊技盤２５に取り付けられ、遊技盤２５および入賞部品４１の前側に配置された前面パネル２８と遊技盤２５の前面である遊技領域２９との間の隙間を下方に流れる球が、遊技領域２９から、上部球取込部４６に取り込まれると、当該球は、上部球取込部４６から上部入賞口４５および上部球排出部４７を経由して遊技盤２５の裏側に排出される。また、一対の羽根部品４２が互いに左右方向の外側に開放した場合、前面パネル２８と遊技盤２５の前面である遊技領域２９との間の隙間を下方に流れる球が、遊技領域２９から開放中の一対の羽根部品４２で誘導されて球検出孔２２を経由して下部球取込部５０に取り込まれると、当該球は、下部球取込部５０から下部入賞口４９および下部球排出部５１を経由して遊技盤２５の裏側に排出される。
【００２１】
図９を参照し、前部品２を成形するための成形型６５について説明する。図９のａ図に示すように、成形型６５は、キャビティと呼ばれる固定型６６とコアと呼ばれる移動型６７とを備える。固定型６６は合わせ面６８から内部に窪む前面体成形空間部６９を備える。移動型６７は、合わせ面７０から内部に窪む短係合片成形空間部７１、合わせ面７０から内部に窪む長係合片成形空間部７２、短係合片成形空間部７１から連接された後部品用フック成形空間部７３、長係合片成形空間部７２から連接された後部品用フック成形空間部７４、長係合片成形空間部７２から連接された検出器用フック成形空間部７５を備える。そして、図９のｂ図に示すように、固定型６６の合わせ面６８と移動型６７の合わせ面７０とが互いに合わせられ、固定型６６と移動型６７とが型締めされた後、図外のノズルから図外のゲートに溶融した合成樹脂の成形材料が供給されると、この溶融した合成樹脂の成形材料は、ゲートから前面体成形空間部６９、短係合片成形空間部７１、後部品用フック成形空間部７３、長係合片成形空間部７２、後部品用フック成形空間部７４、検出器用フック成形空間部７５のそれぞれに充填される。そして、充填された成形材料の固化した時間が経過したら、移動型６７が固定型６６から離れるように、固定型６６と移動型６７とが型開きされ、図１または図４または図６に示す形態に成形された前部品２が成形型６５から剥型される。この成形型６５にあっては、移動型６７を共通型として使用し、前面体成形空間部６９の形の変わった固定型６６と交換する交換型とすることによって、図１または図４または図６に示す前面体６の意匠形状の異なる前部品２を成形することができる。
【００２２】
図１０を参照し、後部品３を成形するための成形型８５について説明する。図１０のａ図に示すように、成形型８５は、キャビティと呼ばれる固定型８６とコアと呼ばれる移動型８７とを備える。固定型８６は合わせ面８８から内部に窪む取付体成形空間部８９、取付体成形空間部８９から連接された位置決め突起成形空間部９０を備える。移動型８７は、合わせ面９１から内部に窪む支持体溝成形空間部９２、合わせ面９１から突出するねじ挿入孔成形突起９３を備える。そして、図１０のｂ図に示すように、固定型８６の合わせ面８８と移動型８７の合わせ面９１とが互いに合わせられ、固定型８６と移動型８７とが型締めされた後、図外のノズルから図外のゲートに溶融した合成樹脂の成形材料が供給されると、この溶融した合成樹脂の成形材料は、ゲートからねじ挿入孔成形突起９３の存在する取付体成形空間部８９、位置決め突起成形空間部９０、支持体溝成形空間部９２のそれぞれに充填される。そして、充填された成形材料の固化した時間が経過したら、移動型８７が固定型８６から離れるように、固定型８６と移動型８７とが型開きされ、図１または図４または図６に示す形態に成形された後部品３が成形型８５から剥型される。この成形型８５にあっては、移動型８７を共通型として使用し、取付体成形空間部８９の形の変わった固定型８６と交換する交換型とすることによって、図１または図４または図６に示す取付体１３の意匠形状の異なる後部品３を成形することができる。
【００２３】
図１１を参照し、入賞部品１；３１；４１、可変入賞部品９５、図柄表示器９６、アウト口９７、外ガイドレール９８、内ガイドレール９９の取り付けられた遊技盤２５を用いたパチンコ機について説明する。パチンコ機の遊技機枠１０１は、固定枠１０２と可動枠１０３とを備える。固定枠１０２は、パチンコ店の島と呼ばれる遊技機設置構造体に取り付けるための外枠と呼ばれるものであって、前後方向に開放された縦長な長方形の空間を囲む額縁形状である。可動枠１０３は、遊技盤２５を装着する前枠または中枠と呼ばれるものであって、固定枠１０２に、左側の図外のヒンジで前側横方向に片開き可能に取り付けられる。可動枠１０３には、パネル枠１０４および球皿装置１０５が、左側の図外のヒンジで前側横方向に片開き可能に取り付けられる。パネル枠１０４は、前後方向に開放された窓１０６を囲む額縁形状である。パネル枠１０４の裏面には、ガラスまたは合成樹脂からなる光透過性を有する前面パネル２８が、窓１０６を覆う格好で取り付けられる。球皿装置１０５の前面には、球受皿部１０７および発射操作機構１０８を備える。可動枠１０３の球皿装置１０５で覆い隠される前面には、発射機構１０９を備える。
【００２４】
そして、技盤の前面である遊技領域に入賞部品１；３１；４１の設けられた遊技盤２５が可動枠１０３の内部に装着され、可動枠１０３が閉じられて固定枠１０２に固定され、パネル枠１０４および球皿装置１０５が閉じられて可動枠１０３に固定され、遊技機枠１０１の裏面および遊技盤２５の裏面に取り付けられた図外の制御装置が電力で起動し、球受皿部１０７に球が入れられた状態において、遊技者が発射操作機構１０８を操作すると、発射操作機構１０８に内蔵された図外の可変抵抗器が遊技者の操作量に応じた可変抵抗値を制御装置に出力し、制御装置が例えば１分間に１００発未満の周期と可変抵抗値に応じた発射出力とで発射機構１０９を駆動し、発射機構１０９が球受皿部１０７から供給された球を１個ずつ発射する。この発射機構１０９から発射された球は、前面パネル２８で覆われた遊技盤２５の外ガイドレール９８と内ガイドレール９９との間の発射通路１００を経由して遊技盤２５の遊技領域２９に発射される。この遊技領域２９に発射された球は、遊技領域２９を下方に流れる過程において、遊技領域２９から入賞部品１；３１；４１に入る。
【産業上の利用可能性】
【００２５】
支持体１４；１５に溝１９；２０を設けなくてもよい。
【図面の簡単な説明】
【００２６】
【図１】ａ図は入賞部品を示す分解斜視図、ｂ図は入賞部品を示す外観斜視図（最良の形態）。
【図２】入賞部品の内部を示す横断面図（最良の形態）。
【図３】入賞部品の内部を示す横断面図（最良の形態）。
【図４】別の入賞部品を示す分解斜視図（最良の形態）。
【図５】図４の入賞部品の内部を示す横断面図（最良の形態）。
【図６】さらに別の入賞部品を示す分解斜視図（最良の形態）。
【図７】図６の入賞部品を示す外観斜視図（最良の形態）。
【図８】図６の入賞部品の内部を示す横断面図（最良の形態）。
【図９】前部品の成形型を示す模式図（最良の形態）。
【図１０】後部品の成形型を示す模式図（最良の形態）。
【図１１】パチンコ機を示す正面図（最良の形態）。
【符号の説明】
【００２７】
１  入賞部品、２  前部品、３  後部品、４  球検出器、６  前面体、７  短係合片、８  長係合片、９  後部品用フック、１０  後部品用フック、１１  検出器用フック、
１３  取付体、１４  支持体、１５  支持体、１６  挿入孔、１９  溝、２０  溝、
３１  入賞部品、４１  入賞部品。
【図１】
2006034302.tif 000003
【図２】
2006034302.tif 000004
【図３】
2006034302.tif 000005
【図４】
2006034302.tif 000006
【図５】
2006034302.tif 000007
【図６】
2006034302.tif 000008
【図７】
2006034302.tif 000009
【図８】
2006034302.tif 000010
【図９】
2006034302.tif 000011
【図１０】
2006034302.tif 000012
【図１１】
2006034302.tif 000013